(57)【要約】【課題】毛髪を着脱自在にしたカチューシャ及び毛髪ユニット付カチューシャを提供する。【解決手段】湾曲状の本体部２を有するカチューシャ１において、人工毛又は人毛を有する毛髪ユニット４を本体部２に対し着脱自在にする着脱部（３）を備える構成とする。【選択図】      図１
2007125115.tif 000002
【特許請求の範囲】
【請求項１】
湾曲状の本体部を有するカチューシャにおいて、
人工毛又は人毛を有する毛髪ユニットを前記本体部に対し着脱自在にする着脱部を備えることを特徴とするカチューシャ。
【請求項２】
前記本体部のうち装着対象との当接側に前記着脱部を備えることを特徴とする請求項１記載のカチューシャ。
【請求項３】
前記着脱部が面ファスナーであることを特徴とする請求項１又は請求項２記載のカチューシャ。
【請求項４】
前記着脱部が前記毛髪ユニットを挟持する挟持部であることを特徴とする請求項１又は請求項２記載のカチューシャ。
【請求項５】
湾曲状のカチューシャ本体部と、
人工毛又は人毛を有する毛髪ユニットと、
該毛髪ユニットを前記カチューシャ本体部に対し着脱自在にする着脱部と
を備えることを特徴とする毛髪ユニット付カチューシャ。
【発明の詳細な説明】
【技術分野】
【０００１】
本発明は、毛髪ユニットを着脱自在にしたカチューシャ及び毛髪ユニット付カチューシャに関するものである。
【背景技術】
【０００２】
従来のカチューシャは、一般的に頭部に取付けることにより毛髪を押さえて止めることを目的としている。このカチューシャを用いて毛髪のボリュームを出すために、カチューシャの裏側の両縁に沿って、それぞれ前方及び後方に向けて毛髪状の部材を接着するカチューシャが提案されている。（例えば、特許文献１参照。）
【特許文献１】実用新案登録第３０４３６２６号公報
【発明の開示】
【発明が解決しようとする課題】
【０００３】
ところで、上記特許文献１の技術は、カチューシャに毛髪状の部材を接着してあるため、着脱の作業が困難であり、カチューシャの髪型を変えることができず、ファッションに応用が利かなかった。
【０００４】
本発明の課題は、上記従来の実情に鑑み、毛髪を着脱自在にしたカチューシャ及び毛髪ユニット付カチューシャを提供することである。
【課題を解決するための手段】
【０００５】
上記課題を解決するために、本発明のカチューシャは、湾曲状の本体部を有するカチューシャにおいて、人工毛又は人毛を有する毛髪ユニットを上記本体部に対し着脱自在にする着脱部を備える構成とする。
【０００６】
好ましくは、上記本体部のうち装着対象との当接側に上記着脱部を備える構成とする。
また、上記着脱部が、面ファスナーである構成や、上記毛髪ユニットを挟持する挟持部である構成が採用可能である。
【０００７】
上記課題を解決するために、本発明の毛髪ユニット付カチューシャは、湾曲状のカチューシャ本体部と、人工毛又は人毛を有する毛髪ユニットと、上記毛髪ユニットを上記カチューシャ本体部に対し着脱自在にする着脱部とを備える構成とする。
【発明の効果】
【０００８】
本発明のカチューシャによれば、人工毛又は人毛を有する毛髪ユニットを本体部に対し着脱自在にする着脱部を備えるため、毛髪ユニットを着脱自在にすることができる。これにより、頭髪のボリュームを出すことができるのみならず、ファッションに応用を効かすことも可能となる。
【発明を実施するための最良の形態】
【０００９】
以下、本発明の実施形態に係るカチューシャ及び毛髪ユニット付カチューシャについて図面を参照しながら説明する。
図１は、本発明の第１実施形態に係る毛髪ユニット付カチューシャを示す分解斜視図であり、図２は、上記毛髪ユニット付カチューシャを示す斜視図である。
【００１０】
図１及び図２において、カチューシャ１は、湾曲状の本体部２と、着脱部としての面ファスナー３とを備えている。面ファスナー３は、本体部２のうち装着対象との当接側としての内側面２ａに例えば接着により固着されている。
【００１１】
一方、毛髪ユニット４は、植毛ベース５と、面ファスナー６と、毛髪７とを有している。人毛又は人工毛からなる毛髪７が植毛される植毛ベース５には、カチューシャ１の面ファスナー３と着脱自在な面ファスナー６が例えば接着により固着されている。
【００１２】
図３Ａ乃至図３Ｅは、本発明の実施形態に係る毛髪ユニットを示す斜視図である。
図３Ａに示す毛髪ユニット４は、面ファスナー６を省略している点を除き図１及び図２に示した毛髪ユニット４と同一のものであり、一方に向かって毛髪７が植毛ベース５に植設されている。これに対し、図３Ｂに示す毛髪ユニット４のように毛髪７が植毛ベース５に直交する方向に前方と後方とに植設されていてもよい。
【００１３】
また、複数の毛束からなる毛髪７を図３Ｃに示す毛髪ユニット４のように所定の間隔で一方に向かって植設してもよく、図３Ｄに示す毛髪ユニット４のように植毛ベース５に直交する方向に前方と後方とに植設してもよい。さらには、図３Ｅに示す毛髪ユニット４のようにカールした毛髪７を用いることも考えられる。
【００１４】
本実施形態に係るカチューシャ及び毛髪ユニット付カチューシャによれば、カチューシャ１に着脱部としての面ファスナー３を備えるため、毛髪ユニット４にも面ファスナー６を設けることで容易に毛髪ユニット４を着脱することができる。これにより、頭髪のボリュームを出すことができるのみならず、このカチューシャ１を用いて例えば図３Ａ乃至図３Ｅに示す毛髪ユニット４やその他にも多種多色の毛髪ユニット４を着脱することにより、ヘアーファッションを楽しむこともできる。
【００１５】
また、着脱部としての面ファスナー３を、本体部２のうち装着対象との当接側としての内側面２ａに設けたことにより、カチューシャ１及び毛髪ユニット４の面ファスナー３，６が外に露出しなくなり、外観を高めることができる。
【００１６】
図４は、本発明の第２実施形態に係るカチューシャを示す分解斜視図である。
同図において、カチューシャ１は、湾曲状の本体部２、挟持部としてのクリップ８等を備えている。クリップ８は、本体部２のうち装着対象との当接側としての内側面２ａに固着される支持部８ａにピン８ｂを貫通させて固定することにより、一端が回動自在に固定されている。クリップ８の他端は、同様に本体部２の内側面２ａに固着される嵌め込み部８ｃに嵌め込まれることにより毛髪ユニット４を着脱自在に挟持可能となっている。
【００１７】
本実施形態によれば、挟持部としてのクリップ８により毛髪ユニット４を挟持することでも、毛髪ユニット４を着脱自在にすることができる。また、毛髪ユニット４を挟持する構成であるため、毛髪ユニット４が毛髪７のみからなるものであってもカチューシャ１に着脱自在にすることができる。
【００１８】
図５は、本発明の第３実施形態に係る毛髪ユニット付カチューシャを示す分解斜視図である。
同図において、カチューシャ１は、湾曲状の本体部２と、着脱部としての両面テープ９とを備えている。両面テープ９は、本体部２のうち装着対象との当接側としての内側面２ａに貼り付けられ、この両面テープ９の反対面には毛髪ユニット４の植毛ベース５が貼り付けられる。また、毛髪ユニット４の植毛ベース５には人毛又は人工毛からなる毛髪７が植設されている。
【００１９】
本実施形態によれば、両面テープ９により予め毛髪ユニット４が取付けられたカチューシャ１であっても、その後、自由に他の毛髪ユニット４に取り替えることが可能であり、毛髪ユニット４を容易に着脱してヘアーファッションを楽しむこともできる。
【００２０】
なお、上記第１乃至第３実施形態では、着脱部として、面ファスナー３、クリップ８（挟持部）又は両面テープ９を設けた構成で説明したが、本発明の特徴はカチューシャ１又は毛髪ユニット付カチューシャが毛髪ユニット４を本体部２に対し着脱自在にする着脱部を備えることに特徴があり、着脱部は上記したものに限らず、毛髪ユニット４を着脱自在であればどのようなものでも採用可能である。
【００２１】
また、これら着脱部３，８，９は、カチューシャ１のうち装着対象との当接側としての内側面２ａに設けた例で説明したが、カチューシャ１の外側面や側面等、どこに設けられていてもよい。
【図面の簡単な説明】
【００２２】
【図１】本発明の第１実施形態に係る毛髪ユニット付カチューシャを示す分解斜視図である。
【図２】上記毛髪ユニット付カチューシャを示す斜視図である。
【図３Ａ】本発明の実施形態に係る毛髪ユニットを示す斜視図（その１）である。
【図３Ｂ】本発明の実施形態に係る毛髪ユニットを示す斜視図（その２）である。
【図３Ｃ】本発明の実施形態に係る毛髪ユニットを示す斜視図（その３）である。
【図３Ｄ】本発明の実施形態に係る毛髪ユニットを示す斜視図（その４）である。
【図３Ｅ】本発明の実施形態に係る毛髪ユニットを示す斜視図（その５）である。
【図４】本発明の第２実施形態に係るカチューシャを示す分解斜視図である。
【図５】本発明の第３実施形態に係る毛髪ユニット付カチューシャを示す分解斜視図である。
【符号の説明】
【００２３】
１      カチューシャ
２      本体部
２ａ      内側面
３      面ファスナー
４      毛髪ユニット
５      植毛ベース
６      面ファスナー
７      毛髪
８      クリップ
８ａ      支持部
８ｂ      ピン
８ｃ      嵌め込み部
９      両面テープ
【図１】
2007125115.tif 000003
【図２】
2007125115.tif 000004
【図３Ａ】
2007125115.tif 000005
【図３Ｂ】
2007125115.tif 000006
【図３Ｃ】
2007125115.tif 000007
【図３Ｄ】
2007125115.tif 000008
【図３Ｅ】
2007125115.tif 000009
【図４】
2007125115.tif 000010
【図５】
2007125115.tif 000011